(57)【要約】【課題】各指袋に形成するゴアラインの配置（ゴアラインの始点・分岐方向・分岐数・長さ）を応用することにより足指形状によりフィットして足指の動きに追従できる靴下を提供する。【解決手段】複数の指袋部１０、２０、３０、４０、５０を有する靴下において、各指袋部に足指関節の動きにフィットさせる屈曲部を形成した。各指袋部の屈曲部は、各足指の中足指節関節付近を始点とするゴアライン１１、１２、２１、２２、３１、３２、４１、４２、５１、５２の配置により編成され、ゴアラインの上向き又は下向き分岐数と長さによって各指袋部の方向性を調整可能としたことを特徴とする。【選択図】図１
2014043666.tif 000002
【特許請求の範囲】
【請求項１】
複数の指袋部を有する靴下において、各指袋部に足指関節の動きにフィットさせる屈曲部を形成したことを特徴とする靴下。
【請求項２】
前記各指袋部の屈曲部は、各足指の中足指節関節付近を始点とするゴアラインの配置により編成され、前記ゴアラインの上向き又は下向き分岐数と長さによって前記各指袋部の方向性を調整可能としたことを特徴とする請求項１に記載の靴下。
【請求項３】
第２指から第４指の各指袋部における前記屈曲部は、前記ゴアラインの上向き分岐数が１本〜４本、その長さが２ｍｍ〜１０ｍｍの範囲内で当該各指袋部の両側部に対称に配置され、第２指から第４指の各指袋部が前方斜め下向きの所定角度を維持するように設定されていることを特徴とする請求項１又は請求項２に記載の靴下。
【請求項４】
小指袋部における前記屈曲部は、前記ゴアラインの上向き分岐数が１本〜３本、その長さが２ｍｍ〜１０ｍｍの範囲内で当該小指袋部の両側部に対称に配置され、小指袋部が前方斜め下向きの所定角度を維持するように設定されていることを特徴とする請求項１又は請求項２に記載の靴下。
【請求項５】
親指袋部における前記屈曲部は、前記ゴアラインの下向き分岐数が１本〜５本、その長さが２ｍｍ〜１０ｍｍの範囲内で当該親指袋部の両側部に対称に配置され、親指袋部が前方斜め上向きの所定角度を維持するように設定されていることを特徴とする請求項１又は請求項２に記載の靴下。
【請求項６】
前記靴下は、爪先部が親指袋部と他の指袋部が分れる足袋形状に形成してある靴下であって、親指袋部における前記屈曲部は、前記ゴアラインの下向き分岐数が１本〜５本、その長さが２ｍｍ〜１０ｍｍの範囲内で当該親指袋部の両側部に対称に配置され、他の指袋部の第２指側の前記屈曲部は、前記ゴアラインの上向き分岐数が１本〜４本、その長さが２ｍｍ〜１０ｍｍの範囲内で配置されると共に、他の指袋部の小指側の前記屈曲部は、前記ゴアラインの上向き分岐数が１本〜３本、その長さが２ｍｍ〜１０ｍｍの範囲内で配置されていることを特徴とする請求項１又は請求項２に記載の靴下。
【請求項７】
前記靴下は、爪先部が親指袋部と、第２指から第４指の足指が入る中間指袋部と、小指袋部の３つに分かれる３本指形状に形成してある靴下であって、親指袋部における前記屈曲部は、前記ゴアラインの下向き分岐数が１本〜５本、その長さが２ｍｍ〜１０ｍｍの範囲内で当該親指袋部の両側部に対称に配置され、中間指袋部の第２指側の前記屈曲部は、前記ゴアラインの上向き分岐数が１本〜４本、その長さが２ｍｍ〜１０ｍｍの範囲内で配置されると共に、中間指袋部の第４指側の前記屈曲部は、前記ゴアラインの上向き分岐数が１本〜４本、その長さが２ｍｍ〜１０ｍｍの範囲内で配置され、小指袋部における前記屈曲部は、前記ゴアラインの上向き分岐数が１本〜３本、その長さが２ｍｍ〜１０ｍｍの範囲内で当該小指袋部の両側部に対称に配置されていることを特徴とする請求項１又は請求項２に記載の靴下。
【請求項８】
前記屈曲部領域の使用糸を他領域の使用糸よりも少なく又は細くして編成することを特徴とする請求項１乃至請求項７のいずれか１項に記載の靴下。
【請求項９】
前記各指袋部の屈曲部は、各足指の中足指節関節付近を始点とするゴアラインの上部と下部において、編成時のコース数に差を設けることにより前記各指袋部の方向性を調整可能としたことを特徴とする請求項１に記載の靴下。
【請求項１０】
第２指から第４指の各指袋部又は小指袋部における前記屈曲部は、前記ゴアライン上部のコース数を前記ゴアライン下部のコース数より多く編成し、前記ゴアライン上部の甲側編成部の長さに対する前記ゴアライン下部の足底側編成部の長さの比率を２０％〜８０％の割合に設定することにより、第２指から第４指の各指袋部又は小指袋部が前方斜め下向きに屈曲することを特徴とする請求項１又は請求項９に記載の靴下。
【請求項１１】
親指袋部における前記屈曲部は、前記ゴアライン上部のコース数を前記ゴアライン下部のコース数より少なく編成し、前記ゴアライン上部の甲側編成部の長さに対する前記ゴアライン下部の足底側編成部の長さの比率を１２０％〜１４０％の割合に設定することにより、親指袋部が前方斜め上向きに屈曲することを特徴とする請求項１又は請求項９に記載の靴下。
【請求項１２】
前記靴下は、爪先部が親指袋部と他の指袋部が分れる足袋形状に形成してある靴下であって、親指袋部における前記屈曲部は、前記ゴアライン上部のコース数を前記ゴアライン下部のコース数より少なく編成し、前記ゴアライン上部の甲側編成部の長さに対する前記ゴアライン下部の足底側編成部の長さの比率を１２０％〜１４０％の割合に設定し、他の指袋部の前記屈曲部は、前記ゴアライン上部のコース数を前記ゴアライン下部のコース数より多く編成し、前記ゴアライン上部の甲側編成部の長さに対する前記ゴアライン下部の足底側編成部の長さの比率を２０％〜８０％の割合に設定されていることを特徴とする請求項１又は請求項９に記載の靴下。
【請求項１３】
前記靴下は、爪先部が親指袋部と、第２指から第４指の足指が入る中間指袋部と、小指袋部の３つに分かれる３本指形状に形成してある靴下であって、親指袋部における前記屈曲部は、前記ゴアライン上部のコース数を前記ゴアライン下部のコース数より少なく編成し、前記ゴアライン上部の甲側編成部の長さに対する前記ゴアライン下部の足底側編成部の長さの比率を１２０％〜１４０％の割合に設定し、中間指袋部及び小指袋部の前記屈曲部は、前記ゴアライン上部のコース数を前記ゴアライン下部のコース数より多く編成し、前記ゴアライン上部の甲側編成部の長さに対する前記ゴアライン下部の足底側編成部の長さの比率を２０％〜８０％の割合に設定されていることを特徴とする請求項１又は請求項９に記載の靴下。
【請求項１４】
前記各指袋部の屈曲部は、編成時のコース数の差と度目の変化の組み合わせにより形成されることを特徴とする請求項９乃至請求項１３のいずれか１項に記載の靴下。
【発明の詳細な説明】
【技術分野】
【０００１】
本発明は、各指袋部に屈曲部を形成することにより足指の動きに追従できる靴下に関する。
【背景技術】
【０００２】
従来の靴下の爪先部分については、一般的な先丸形の他に、足指（足の親指と第２指と第３指と第４指と小指）の五指をばらばらに挿入する５本指靴下が知られており、足指に力が加わる場合、５本指靴下の方が安定して踏ん張れることが周知となっている。
【０００３】
また、従来の５本指靴下について、足指のフィット性を向上させるために、以下に示すような先行技術が提案されている。
【０００４】
特開２００７−２３６２号公報（特許文献１）には、五指の各指袋を足指にぴったりとフィットしあるいは適切な着圧を付与できる靴下を提供することを目的とし、編み糸又は編み糸と弾性糸によって靴下本体及び爪先部分を編成するようにした靴下の製造方法において、爪先部分に五指を入れる５本の各指袋を丸編み機によって編成する。その際、編み方向に編針の本数を減少後増加させ又は増加後減少させるパターンを繰り返すことによって５本の各指袋を各足指の平面形状に類似した平面形状に編成する「靴下の製造方法」が提案されている。
【０００５】
特開２０１０−１５９５２３号公報（特許文献２）には、靴下を履いても裸足に近い接地ができ、足の負担も少なく、全指を機能させることができ、履き心地も良好な靴下を提供することを目的とし、３本以上５本以下の指袋を持つ靴下であって、靴下の底面を水平に置いた状態で、両端の指袋より間にある指袋のほうが高い位置に配置されており、少なくとも第１指（親指）指袋は、指の先端から付け根の間に凹部が形成されている「靴下」が提案されている。
【０００６】
特開２０１１−２５６５０９号公報（特許文献３）には、先端の接合線周囲での破損をできるだけ避けるのみならず、足指と靴下との摩擦抵抗を増大させ、踏ん張りが利き、歩行や転倒阻止が行いやすい靴下を提供することを目的とし、指先先端相当部に上下辺を一体化した接合線が存在する靴下であって、前記接合線より上側にある上辺の収縮力が基本的な生地収縮力より強いか、若しくは、基本的な生地弾性より小さくされた少伸縮部とされ、当該少伸縮部により、前記接合線が装着状態で、その指先の爪先相当箇所に位置する「靴下」が提案されている。
【０００７】
特開２０１２−３１５２９号公報（特許文献４）には、複数の指袋と該指袋と繋がった胴部を有する指袋付き筒状編地において、手や足指を装着した際にフィット感を高めることを目的とし、横編機を用い、複数の指袋と該指袋と繋がった胴部を有する指袋付き筒状編地を編成する際、切り欠き領域を一方の針床に形成した複数の指袋を形成する。その切り欠き領域に対し、上下反転する位置に胴部の切り欠き領域がくるようにマチ部を編成することで、指袋が胴部から曲って繋がる形状として胴部の一面側が形成される。さらに胴部の他面側を形成する「指袋付き筒状編地の編成方法およびその編地」が提案されている。
【先行技術文献】
【特許文献】
【０００８】
【特許文献１】特開２００７−２３６２号公報
【特許文献２】特開２０１０−１５９５２３号公報
【特許文献３】特開２０１１−２５６５０９号公報
【特許文献４】特開２０１２−３１５２９号公報
【発明の概要】
【発明が解決しようとする課題】
【０００９】
しかし、従来の靴下では足の各指がそれぞれ指袋に包まれ、その状態で指が曲がると足指の関節の下側の生地が邪魔をするため違和感があり、足指の変形運動に対してスムーズに追従し難いという問題を有している。
そこで、本発明は、各指袋部に屈曲部を編成することに着目し、各指袋に形成するゴアラインの配置（ゴアラインの始点・分岐方向・分岐数・長さ）を応用することにより、又はゴアラインの上部と下部において編成時のコース数に差を設けることにより、足指形状によりフィットして足指の動きに追従できる靴下を提供することを目的とする。
【課題を解決するための手段】
【００１０】
上記の課題を解決するために、請求項１に記載の発明は、複数の指袋部を有する靴下において、各指袋部に足指関節の動きにフィットさせる屈曲部を形成したことを特徴とする。
【００１１】
また、請求項２に記載の発明は、請求項１に記載の前記各指袋部の屈曲部は、各足指の中足指節関節付近を始点とするゴアラインの配置により編成され、前記ゴアラインの上向き又は下向き分岐数と長さによって前記各指袋部の方向性を調整可能としたことを特徴とする。
【００１２】
また、請求項３に記載の発明は、請求項１又は請求項２に記載の第２指から第４指の各指袋部における前記屈曲部は、前記ゴアラインの上向き分岐数が１本〜４本、その長さが２ｍｍ〜１０ｍｍの範囲内で当該各指袋部の両側部に対称に配置され、第２指から第４指の各指袋部が前方斜め下向きの所定角度を維持するように設定されていることを特徴とする。
【００１３】
また、請求項４に記載の発明は、請求項１又は請求項２に記載の小指袋部における前記屈曲部は、前記ゴアラインの上向き分岐数が１本〜３本、その長さが２ｍｍ〜１０ｍｍの範囲内で当該小指袋部の両側部に対称に配置され、小指袋部が前方斜め下向きの所定角度を維持するように設定されていることを特徴とする。
【００１４】
また、請求項５に記載の発明は、請求項１又は請求項２に記載の親指袋部における前記屈曲部は、前記ゴアラインの下向き分岐数が１本〜５本、その長さが２ｍｍ〜１０ｍｍの範囲内で当該親指袋部の両側部に対称に配置され、親指袋部が前方斜め上向きの所定角度を維持するように設定されていることを特徴とする。
【００１５】
また、請求項６に記載の発明は、請求項１又は請求項２に記載の前記靴下は、爪先部が親指袋部と他の指袋部が分れる足袋形状に形成してある靴下であって、親指袋部における前記屈曲部は、前記ゴアラインの下向き分岐数が１本〜５本、その長さが２ｍｍ〜１０ｍｍの範囲内で当該親指袋部の両側部に対称に配置され、他の指袋部の第２指側の前記屈曲部は、前記ゴアラインの上向き分岐数が１本〜４本、その長さが２ｍｍ〜１０ｍｍの範囲内で配置されると共に、他の指袋部の小指側の前記屈曲部は、前記ゴアラインの上向き分岐数が１本〜３本、その長さが２ｍｍ〜１０ｍｍの範囲内で配置されていることを特徴とする。
【００１６】
また、請求項７に記載の発明は、請求項１又は請求項２に記載の前記靴下は、爪先部が親指袋部と、第２指から第４指の足指が入る中間指袋部と、小指袋部の３つに分かれる３本指形状に形成してある靴下であって、親指袋部における前記屈曲部は、前記ゴアラインの下向き分岐数が１本〜５本、その長さが２ｍｍ〜１０ｍｍの範囲内で当該親指袋部の両側部に対称に配置され、中間指袋部の第２指側の前記屈曲部は、前記ゴアラインの上向き分岐数が１本〜４本、その長さが２ｍｍ〜１０ｍｍの範囲内で配置されると共に、中間指袋部の第４指側の前記屈曲部は、前記ゴアラインの上向き分岐数が１本〜４本、その長さが２ｍｍ〜１０ｍｍの範囲内で配置され、小指袋部における前記屈曲部は、前記ゴアラインの上向き分岐数が１本〜３本、その長さが２ｍｍ〜１０ｍｍの範囲内で当該小指袋部の両側部に対称に配置されていることを特徴とする。
【００１７】
また、請求項８に記載の発明は、請求項１乃至請求項７に記載の前記屈曲部領域の使用糸を他領域の使用糸よりも少なく又は細くして編成することを特徴とする。
【００１８】
さらに、請求項９に記載の発明は、請求項１に記載の前記各指袋部の屈曲部は、各足指の中足指節関節付近を始点とするゴアラインの上部と下部において、編成時のコース数に差を設けることにより前記各指袋部の方向性を調整可能としたことを特徴とする。
【００１９】
また、請求項１０に記載の発明は、請求項１又は請求項９に記載の第２指から第４指の各指袋部又は小指袋部における前記屈曲部は、前記ゴアライン上部のコース数を前記ゴアライン下部のコース数より多く編成し、前記ゴアライン上部の甲側編成部の長さに対する前記ゴアライン下部の足底側編成部の長さの比率を２０％〜８０％の割合に設定することにより、第２指から第４指の各指袋部又は小指袋部が前方斜め下向きに屈曲することを特徴とする。
【００２０】
また、請求項１１に記載の発明は、請求項１又は請求項９に記載の親指袋部における前記屈曲部は、前記ゴアライン上部のコース数を前記ゴアライン下部のコース数より少なく編成し、前記ゴアライン上部の甲側編成部の長さに対する前記ゴアライン下部の足底側編成部の長さの比率を１２０％〜１４０％の割合に設定することにより、親指袋部が前方斜め上向きに屈曲することを特徴とする。
【００２１】
また、請求項１２に記載の発明は、請求項１又は請求項９に記載の前記靴下は、爪先部が親指袋部と他の指袋部が分れる足袋形状に形成してある靴下であって、親指袋部における前記屈曲部は、前記ゴアライン上部のコース数を前記ゴアライン下部のコース数より少なく編成し、前記ゴアライン上部の甲側編成部の長さに対する前記ゴアライン下部の足底側編成部の長さの比率を１２０％〜１４０％の割合に設定し、他の指袋部の前記屈曲部は、前記ゴアライン上部のコース数を前記ゴアライン下部のコース数より多く編成し、前記ゴアライン上部の甲側編成部の長さに対する前記ゴアライン下部の足底側編成部の長さの比率を２０％〜８０％の割合に設定されていることを特徴とする。
【００２２】
また、請求項１３に記載の発明は、請求項１又は請求項９に記載の前記靴下は、爪先部が親指袋部と、第２指から第４指の足指が入る中間指袋部と、小指袋部の３つに分かれる３本指形状に形成してある靴下であって、親指袋部における前記屈曲部は、前記ゴアライン上部のコース数を前記ゴアライン下部のコース数より少なく編成し、前記ゴアライン上部の甲側編成部の長さに対する前記ゴアライン下部の足底側編成部の長さの比率を１２０％〜１４０％の割合に設定し、中間指袋部及び小指袋部の前記屈曲部は、前記ゴアライン上部のコース数を前記ゴアライン下部のコース数より多く編成し、前記ゴアライン上部の甲側編成部の長さに対する前記ゴアライン下部の足底側編成部の長さの比率を２０％〜８０％の割合に設定されていることを特徴とする。
【００２３】
また、請求項１４に記載の発明は、請求項９乃至請求項１３に記載の前記各指袋部の屈曲部は、編成時のコース数の差と度目の変化の組み合わせにより形成されることを特徴とする。
【発明の効果】
【００２４】
以上のように、本発明にかかる靴下は、各指袋部に足指関節の動きにフィットさせる屈曲部を形成したので、足指が曲がる際に足指関節の下側の生地が邪魔をするために生じる違和感が軽減されると同時に踏ん張り等の機能性も向上する。また、各指袋に形成するゴアラインの配置（ゴアラインの始点・分岐方向・分岐数・長さ）を応用して屈曲部を編成するので、より立体的な屈曲部を形成することができる。さらに、ゴアラインの上部と下部において編成時のコース数に差を設けて屈曲部を編成する方法を採用した場合は、編成方法が簡単で不良品発生数を低減することができる。
即ち、足指を観察すると通常指は足裏方向に軽く曲がっており、踏ん張る時はさらに指は強く曲がり第一関節、第二関節を中心に指の腹が密着する。この場合、従来の５本指靴下では指袋部が各関節を中心に折れ曲がり指の腹が密着するときに指袋部の生地が狭まり、運動や動作を阻害することになるが、本発明にかかる靴下では既に足指関節と同方向に指袋部の編地が曲がっているため、生地のダブつきやツッパリが少なく足指の変形運動に対してよりスムーズに追従し違和感を解消すると共に、運動性機能を向上させることができる。
【図面の簡単な説明】
【００２５】
【図１】本発明にかかる靴下の爪先部（右足）の編成の第１実施例を示す平面図である。
【図２】指袋部（親指）のゴアラインの配置の一例を示す側面図である。
【図３】指袋部（第２指〜第４指）のゴアラインの配置の一例を示す側面図である。
【図４】指袋部（第２指〜第４指）のゴアラインの配置の他例を示す側面図である。
【図５】編成パターンの一例を示す説明図である。
【図６】編成パターンの他例を示す説明図である。
【図７】ゴアラインを１本編成する場合のパターン例を示す説明図である。
【図８】ゴアラインを２本編成する場合のパターン例を示す説明図である。
【図９】ゴアラインを３本編成する場合のパターン例を示す説明図である。
【図１０】靴下の爪先部（右足）が足袋形状に形成してある靴下の編成の一例を示す平面図である。
【図１１】靴下の爪先部（右足）が３本指形状に形成してある靴下の編成の一例を示す平面図である。
【図１２】本発明にかかる靴下の爪先部（右足）の編成の第２実施例を示す平面図である。
【図１３】指袋部（親指）のゴアラインの配置の一例を示す側面図である。
【図１４】指袋部（第２指〜小指）のゴアラインの配置の一例を示す側面図である。
【図１５】靴下の爪先部（右足）が足袋形状に形成してある靴下の編成の一例を示す平面図である。
【図１６】靴下の爪先部（右足）が３本指形状に形成してある靴下の編成の一例を示す平面図である。
【図１７】指袋部の編成を示す説明図である。
【発明を実施するための形態】
【００２６】
本発明にかかる靴下は、各指袋部に屈曲部を編成することに着目し、第１の具体的な解決手段としては、各指袋に形成するゴアラインの配置（ゴアラインの始点・分岐方向・分岐数・長さ）を応用することにより足指形状によりフィットして足指の動きに追従できる靴下を提供することが可能になった。
【００２７】
本発明にかかる靴下は、靴下本体及び爪先部分が丸編機を用いて編成され、爪先部分において複数の指袋部を有する靴下（５本指又は３本指等のタイプの靴下）について適用される。また、本発明にかかる靴下は、サッカー、テニス、ゴルフ、ウォーキングなどのスポーツ用靴下に適用されるものであり、これ以外にも、レディース靴下、メンズ靴下、カジュアル靴下およびビジネス靴下等にも幅広く適用され得る。
【００２８】
また、丸編み機によって５本指靴下の各指袋部を編成する場合、指袋部の足甲側部分を基部から先端に向けて編成した後、足底側部分を先端から基部に向けて甲側部分と筒状をなすように編成するか、又は逆に指袋部の足底側部分を基部から先端に向けて編成した後、足甲側部分を先端から基部に向けて甲側部分と筒状をなすように編成する。そこで、各指袋部の足甲側部分又は足底側部分について基部から先端に向けてパターンを繰り返して編成し、足底側部分又は足甲側部分について先端から基部に向けてパターンを繰り返して編成することが周知である。
【００２９】
本発明にかかる靴下の各指袋部については、上述した編成方法を基本にしているが、実際の編成ではシリンダーの回転方向が正転方向と逆転方向の交互の動きにより編成を進め、このとき図５に示す編成パターンの組み合わせに従って針本数を減少させたり増加させたり変化させて編成する。具体的には、指袋部を編成する順番はまず、パターン１（ｐ−１  基本パターン）で編成しその後パターン２（ｐ−２  基本パターン）、パターン３（ｐ−３  基本パターン）と続けて編成することにより足底基部から足底爪先までを編成し、次に足甲部爪先から足甲部基部方向へ図６に示すパターン１逆（ｐ−１逆  基本パターン）で編成することにより１本分の指袋部を編成する。このとき、パターン２→パターン３を編成することにより、屈曲部を形成するゴアラインが１本編成される（図７の□枠参照）。なお、図７の数字１〜１６は編成順番（コース順番）を示し、ｐ−１はパターン１、ｐ−２はパターン２、ｐ−３はパターン３、ｐ−１逆はパターン１逆をそれぞれ示している。
また、屈曲部を形成するゴアラインを２本編成する場合は、上述した基本パターンの編成に加えて図８に示すように基本パターンの針本数を２本減らし、パターン１、パターン２、パターン３と続けて編成することにより、２本のゴアラインが形成される（図８の□枠参照）。
さらに、屈曲部を形成するゴアラインを３本編成する場合は、上述した基本パターンの編成に加えて図９に示すように基本パターンの針本数を２本減らし、パターン１、パターン２、パターン３と続けて編成し、次に基本パターンの針本数を４本減らし、パターン１、パターン２、パターン３と続けて編成することにより、３本のゴアラインが形成される（図９の□枠参照）。
このようにゴアラインの必要な回数だけパターン２→パターン３を組み込めば、屈曲部を形成するゴアラインの本数が増える。また、屈曲部を形成するゴアラインの長さは、正回転の回数と逆回転のそれぞれの回数によって調整することができ、この回数を多くするとゴアラインの長さは長くなる。また、屈曲部を形成するゴアラインの間隔はパターン１の長さによって調整することができ、パターン１を続ければ続けるだけゴアラインの間隔は広がる。
【００３０】
本発明にかかる靴下の糸使いについては特に限定されず、綿糸、綿アクリル混紡糸、毛糸、毛アクリル混紡糸、絹糸、絹アクリル混紡糸、麻糸、麻アクリル混紡糸、ナイロン糸等、靴下に採用される編み糸を用いることができる。弾性糸にはゴム糸、ナイロン糸、ポリエステル糸、ポリウレタンカバードヤーン、コアヤーンを用いることができる。
【００３１】
なお、本発明にかかる靴下は、例えば、ロナティー社製の丸編機を使用して編成できる。この編機のうち、本発明に特に好適なのは、編機の径が３．７５インチであり、針本数が２００本の編機である。
【００３２】
以下、本発明の実施の一形態について、図面を参酌しながら説明する。
図１は、本発明にかかる靴下の爪先部（右足）の編成の第１実施例を示す平面図である。図２は、指袋部（親指）のゴアラインの配置の一例を示す側面図である。図３は、指袋部（第２指〜第４指）のゴアラインの配置の一例を示す側面図である。
【００３３】
図１に示すように、親指袋部１０、第２指袋部２０、第３指袋部３０、第４指袋部４０、小指袋部５０の各両側部には、それぞれの足指関節の動きにフィットさせる屈曲部を形成するためのゴアライン（１１及び１２、２１及び２２、３１及び３２、４１及び４２、５１及び５２）が対称に配置されている。
【００３４】
図３（（ａ）右側面図、（ｂ）左側面図）に示すように、第２指袋部２０における屈曲部は、第２指の中足指節関節付近を始点２１ａ、２２ａとして指先２３に向けて上向きに分岐する２本のゴアライン（２１ｂ及び２１ｃ、２２ｂ及び２２ｃ）が両側部に対称に配置されており、第２指袋部２０の指先２３が前方斜め下向きの角度を維持するように設定されている。この上向きに分岐する２本のゴアライン（２１ｂ及び２１ｃ、２２ｂ及び２２ｃ）の長さは２ｍｍ〜１０ｍｍの範囲内で好ましくは５ｍｍ程度に設定し、その間隔は第２指の第一関節、第二関節の位置に対応するように３ｍｍ〜１０ｍｍの範囲内で設定されている。ここで、上向きに分岐するゴアラインの本数は、図示する２本に限定されるものではなく、１本〜４本の範囲で設定することができる。なお、上向きに分岐するゴアラインの本数が増加する又はゴアラインの長さが長くなると屈曲角度が大きくなりフィット性が損なわれることから、適宜調整する必要がある。
【００３５】
第３指及び第４指の各指袋部３０、４０における屈曲部については、上述した第２指袋部２０における屈曲部と同様に編成され、第３指及び第４指の各指袋部３０、４０が前方斜め下向きの角度を維持するように設定されている。また、小指袋部５０における屈曲部についても、上述した第２指袋部２０における屈曲部と同様に編成されるが、上向きに分岐するゴアラインの本数は１本でも良い。
【００３６】
図２（（ａ）右側面図、（ｂ）左側面図）に示すように、親指袋部１０における屈曲部は、親指の中足指節関節付近を始点１１ａ、１２ａとして指先１３に向けて下向きに分岐する３本のゴアライン（１１ｂ〜１１ｄ、１２ｂ〜１２ｄ）が両側部に対称に配置されており、親指袋部１０の指先１３が前方斜め上向きの角度を維持するように設定されている。このように分岐するゴアラインの方向を他の足指と逆にしているのは、親指以外の足指が足裏方向に曲がっているのに対して親指は反対に反っていることから親指対応にするためである。即ち、親指は指先から第一関節までの長さが長く反り返っているので、それに合わせて親指袋部１０を編成するのが好ましい。この下向きに分岐する３本のゴアライン（１１ｂ〜１１ｄ、１２ｂ〜１２ｄ）の長さは２ｍｍ〜１０ｍｍの範囲内で好ましくは５ｍｍ程度に設定し、その間隔は３ｍｍ〜１０ｍｍの範囲内で好ましくは７ｍｍ程度に設定されている。ここで、下向きに分岐するゴアラインの本数は、図示する３本に限定されるものではなく、１本〜５本の範囲で設定することができる。なお、下向きに分岐するゴアラインの本数が増加する又はゴアラインの長さが長くなると屈曲角度が大きくなりフィット性が損なわれることから、適宜調整する必要がある。
【００３７】
図４は指袋部（第２指〜第４指）のゴアラインの配置の他例を示す側面図である。図４（（ａ）右側面図、（ｂ）左側面図）に示すように屈曲部領域２４．２５の使用糸を他領域の使用糸よりも少なく（例えば、２本使いを１本使い）又は糸番手が細い糸を使って編成する。この場合、屈曲部領域２４．２５の糸量が少なくなり生地としては薄くなるため、足指が屈曲した内側の生地のだぶつきが減少し、屈曲時のフィット性が更に向上して運動性機能も一層向上させることが可能になる。なお、このような屈曲部領域２４．２５を設けることは第２指〜第４指の指袋部に限定されるものではなく、親指袋部１０又は小指袋部５０の屈曲部に設けても良い。
【００３８】
図１０は靴下の爪先部（右足）が足袋形状に形成してある靴下の編成の一例を示す平面図である。親指袋部６０と他の指袋部７０にゴアライン６１、６２、７１、７２の配置（ゴアラインの始点・分岐方向・分岐数・長さ）を応用して屈曲部を編成することにより、実際に着用すると足指の自然な屈曲に近づき足指関節の動きにフィットし違和感を軽減させると同時に足の踏ん張り等の機能性も向上させることができる。
親指袋部６０における屈曲部は、  親指の中足指節関節付近を始点として指先に向けて下向きに分岐する３本のゴアラインが両側部に対称に配置されている。この下向きに分岐する３本のゴアラインの長さは２ｍｍ〜１０ｍｍの範囲内で好ましくは５ｍｍ程度に設定し、その間隔は３ｍｍ〜１０ｍｍの範囲内で好ましくは７ｍｍ程度に設定されている。ここで、下向きに分岐するゴアラインの本数は、図示する３本に限定されるものではなく、１本〜５本の範囲で設定することができる。
他の指袋部７０の第２指側の屈曲部は、第２指の中足指節関節付近を始点として指先に向けて上向きに分岐する２本のゴアラインが配置されている。この上向きに分岐する２本のゴアラインの長さは２ｍｍ〜１０ｍｍの範囲内で好ましくは５ｍｍ程度に設定し、その間隔は第２指の第一関節、第二関節の位置に対応するように３ｍｍ〜１０ｍｍの範囲内で好ましくは６ｍｍ程度に設定されている。ここで、上向きに分岐するゴアラインの本数は、図示する２本に限定されるものではなく、１本〜４本の範囲で設定することができる。
また、他の指袋部７０の小指側の屈曲部は、小指の中足指節関節付近を始点として指先に向けて上向きに分岐する１本のゴアラインが配置されている。この上向きに分岐する１本のゴアラインの長さは２ｍｍ〜１０ｍｍの範囲内で好ましくは５ｍｍ程度に設定されている。ここで、上向きに分岐するゴアラインの本数は、図示する１本に限定されるものではなく、１本〜３本の範囲で設定することができる。
【００３９】
図１１は靴下の爪先部（右足）が３本指形状に形成してある靴下の編成の一例を示す平面図である。親指袋部６０と、第２指から第４指の足指が入る中間指袋部８０と、小指袋部９０にゴアライン６１、６２、８１、８２、９１，９２の配置（ゴアラインの始点・分岐方向・分岐数・長さ）を応用して屈曲部を編成することにより、実際に着用すると足指の自然な屈曲に近づき足指関節の動きにフィットし違和感を軽減させると同時に足の踏ん張り等の機能性も向上させることができる。
親指袋部６０における屈曲部は、  親指の中足指節関節付近を始点として指先に向けて下向きに分岐する３本のゴアラインが両側部に対称に配置されている。この下向きに分岐する３本のゴアラインの長さは２ｍｍ〜１０ｍｍの範囲内で好ましくは５ｍｍ程度に設定し、その間隔は３ｍｍ〜１０ｍｍの範囲内で好ましくは７ｍｍ程度に設定されている。ここで、下向きに分岐するゴアラインの本数は、図示する３本に限定されるものではなく、１本〜５本の範囲で設定することができる。
中間指袋部８０の第２指側の屈曲部は、第２指の中足指節関節付近を始点として指先に向けて上向きに分岐する２本のゴアラインが配置されている。この上向きに分岐する２本のゴアラインの長さは２ｍｍ〜１０ｍｍの範囲内で好ましくは５ｍｍ程度に設定し、その間隔は第２指の第一関節、第二関節の位置に対応するように３ｍｍ〜１０ｍｍの範囲内で好ましくは６ｍｍ程度に設定されている。ここで、上向きに分岐するゴアラインの本数は、図示する２本に限定されるものではなく、１本〜４本の範囲で設定することができる。
また、中間指袋部８０の第４指側の屈曲部は、第４指の中足指節関節付近を始点として指先に向けて上向きに分岐する２本のゴアラインが配置されている。この上向きに分岐する２本のゴアラインの長さは２ｍｍ〜１０ｍｍの範囲内で好ましくは５ｍｍ程度に設定し、その間隔は第４指の第一関節、第二関節の位置に対応するように３ｍｍ〜１０ｍｍの範囲内で好ましくは６ｍｍ程度に設定されている。ここで、上向きに分岐するゴアラインの本数は、図示する２本に限定されるものではなく、１本〜４本の範囲で設定することができる。
また、小指袋部９０における屈曲部は、小指の中足指節関節付近を始点として指先に向けて上向きに分岐する１本のゴアラインが両側部に対称に配置されている。この上向きに分岐する１本のゴアラインの長さは２ｍｍ〜１０ｍｍの範囲内で好ましくは５ｍｍ程度に設定されている。ここで、上向きに分岐するゴアラインの本数は、図示する１本に限定されるものではなく、１本〜３本の範囲で設定することができる。
【００４０】
本発明にかかる靴下は、各指袋部に屈曲部を編成することに着目し、第２の具体的な解決手段としては、各指袋に形成するゴアラインの上部と下部において編成時のコース数に差を設けることにより、足指形状によりフィットして足指の動きに追従できる靴下を提供することが可能になった。
【００４１】
次に、本発明の実施の他の形態について、図面を参酌しながら説明する。
図１２は  本発明にかかる靴下の爪先部（右足）の編成の第２実施例を示す平面図である。図１３は、指袋部（親指）のゴアラインの配置の一例を示す側面図である。図１４は、指袋部（第２指〜小指）のゴアラインの配置の一例を示す側面図である。
【００４２】
図１２に示すように、親指袋部１１０、第２指袋部１２０、第３指袋部１３０、第４指袋部１４０、小指袋部１５０の各両側部には、それぞれの足指関節の動きにフィットさせる屈曲部を形成するためのゴアライン（１１１及び１１２、１２１及び１２２、１３１及び１３２、１４１及び１４２、１５１及び１５２）が対称に配置されている。
【００４３】
図１４（（ａ）右側面図、（ｂ）左側面図）に示すように、第２指袋部１２０における屈曲部は、第２指の中足指節関節付近を始点１２１ａ、１２２ａとして指先１２３に向けてゴアライン１２１，１２２が両側部に対称に配置されている。このゴアライン上部のコース数をゴアライン下部のコース数より多く編成し（図１７参照）、ゴアライン上部の甲側編成部１２４の長さに対するゴアライン下部の足底側編成部１２５の長さの比率を２０％〜８０％の割合の範囲内で設定することにより、第２指袋部１２０が前方斜め下向きに屈曲することとなる。なお、上記比率を小さくすると屈曲角度が大きくなるが、第２指に沿うようにするには５０％程度の割合に調整するのが好ましい。
【００４４】
第３指袋部１３０、第４指袋部１４０、小指袋部１５０における屈曲部については、上述した第２指袋部１２０における屈曲部と同様に編成され、各指袋部が前方斜め下向きの角度を維持するように設定されている。なお、各指に沿うようにするには、第３指袋部１３０と第４指袋部１４０における屈曲部の上記比率は４０％程度の割合に調整し、小指袋部１５０における屈曲部の上記比率は３０％程度の割合に調整するのが好ましい。
【００４５】
図１３（（ａ）右側面図、（ｂ）左側面図）に示すように、親指袋部１１０における屈曲部は、親指の中足指節関節付近を始点１１１ａ、１１２ａとして指先１１３に向けてゴアライン１１１、１１２が両側部に対称に配置されている。このゴアライン上部のコース数を前記ゴアライン下部のコース数より少なく編成し、ゴアライン上部の甲側編成部１１４の長さに対するゴアライン下部の足底側編成部１１５の長さの比率を１２０％〜１４０％の割合の範囲内で設定することにより、親指袋部１１０が前方斜め上向きに屈曲することとなる。なお、上記比率を大きくすると屈曲角度が大きくなるが、親指に沿うようにするには１３０％程度の割合に調整するのが好ましい。
【００４６】
図１５は靴下の爪先部（右足）が足袋形状に形成してある靴下の編成の一例を示す平面図である。親指袋部１６０と他の指袋部１７０にゴアライン１６１、１６２、１７１、１７２の上部と下部において編成時のコース数に差を設けて屈曲部を編成することにより、実際に着用すると足指の自然な屈曲に近づき足指関節の動きにフィットし違和感を軽減させると同時に足の踏ん張り等の機能性も向上させることができる。
親指袋部１６０における屈曲部は、ゴアライン上部のコース数をゴアライン下部のコース数より少なく編成してゴアライン上部の甲側編成部の長さに対するゴアライン下部の足底側編成部の長さの比率を１２０％〜１４０％の割合に設定し、他の指袋部１７０の屈曲部は、ゴアライン上部のコース数をゴアライン下部のコース数より多く編成してゴアライン上部の甲側編成部の長さに対するゴアライン下部の足底側編成部の長さの比率を２０％〜８０％の割合に設定されている。
【００４７】
図１６は靴下の爪先部（右足）が３本指形状に形成してある靴下の編成の一例を示す平面図である。親指袋部１６０と、第２指から第４指の足指が入る中間指袋部１８０と、小指袋部１９０にゴアライン１６１、１６２、１８１、１８２、１９１，１９２の上部と下部において編成時のコース数に差を設けて屈曲部を編成することにより、実際に着用すると足指の自然な屈曲に近づき足指関節の動きにフィットし違和感を軽減させると同時に足の踏ん張り等の機能性も向上させることができる。
親指袋部１６０における屈曲部は、ゴアライン上部のコース数をゴアライン下部のコース数より少なく編成してゴアライン上部の甲側編成部の長さに対するゴアライン下部の足底側編成部の長さの比率を１２０％〜１４０％の割合に設定し、中間指袋部１８０及び小指袋部１９０の屈曲部は、ゴアライン上部のコース数をゴアライン下部のコース数より多く編成してゴアライン上部の甲側編成部の長さに対するゴアライン下部の足底側編成部の長さの比率を２０％〜８０％の割合に設定されている。
【００４８】
上述した各指袋部の屈曲部は、編成時のコース数の差と度目の変化の組み合わせにより形成することができる。即ち、各部位の長さはコース数を増やせば長くなり、度目を大きくすると長くなることから、各指袋部のゴアライン上部と下部のコース数の差と度目の変化を組み合わせることにより、更に安定したフィット性とサポート性のある靴下を編成することができる。この場合、コース数と度目の組み合わせについては、（１）コース数が多い・度目が大きい、（２）コース数が多い・度目が小さい、（３）コース数が少ない・度目が大きい、（４）コース数が少ない・度目が小さい、の４通りが考えられる。（１）は編地の長さが最大で動きやすい、（２）は編地の長さが中間で動きにくい、（３）は編地の長さが中間で動きやすい、（４）は編地の長さが最小で動きにくい。例えば、指袋部を下向きに屈曲させる場合、指袋部のゴアライン上部は上記（１）の条件で編成し、指袋部のゴアライン下部は上記（３）の条件で編成することにより、安定したフィット性とサポート性を得ることができる。
【符号の説明】
【００４９】
１０  親指袋部
１１  ゴアライン
１２  ゴアライン
１３  指先
２０  第２指袋部
２１  ゴアライン
２２  ゴアライン
２３  指先
２４  屈曲部領域
２５  屈曲部領域
３０  第３指袋部
３１  ゴアライン
３２  ゴアライン
４０  第４指袋部
４１  ゴアライン
４２  ゴアライン
５０  小指袋部
５１  ゴアライン
５２  ゴアライン
６０  親指袋部
６１  ゴアライン
６２  ゴアライン
７０  他の指袋部
７１  ゴアライン
７２  ゴアライン
８０  中間指袋部
８１  ゴアライン
８２  ゴアライン
９０  小指袋部
９１  ゴアライン
９２  ゴアライン
１１０  親指袋部
１１１  ゴアライン
１１２  ゴアライン
１１３  指先
１１４  甲側編成部
１１５  足底側編成部
１２０  第２指袋部
１２１  ゴアライン
１２２  ゴアライン
１２３  指先
１２４  甲側編成部
１２５  足底側編成部
１３０  第３指袋部
１３１  ゴアライン
１３２  ゴアライン
１４０  第４指袋部
１４１  ゴアライン
１４２  ゴアライン
１５０  小指袋部
１５１  ゴアライン
１５２  ゴアライン
１６０  親指袋部
１６１  ゴアライン
１６２  ゴアライン
１７０  他の指袋部
１７１  ゴアライン
１７２  ゴアライン
１８０  中間指袋部
１８１  ゴアライン
１８２  ゴアライン
１９０  小指袋部
１９１  ゴアライン
１９２  ゴアライン
【図１】
2014043666.tif 000003
【図２】
2014043666.tif 000004
【図３】
2014043666.tif 000005
【図４】
2014043666.tif 000006
【図５】
2014043666.tif 000007
【図６】
2014043666.tif 000008
【図７】
2014043666.tif 000009
【図８】
2014043666.tif 000010
【図９】
2014043666.tif 000011
【図１０】
2014043666.tif 000012
【図１１】
2014043666.tif 000013
【図１２】
2014043666.tif 000014
【図１３】
2014043666.tif 000015
【図１４】
2014043666.tif 000016
【図１５】
2014043666.tif 000017
【図１６】
2014043666.tif 000018
【図１７】
2014043666.tif 000019